【手続補正書】
【提出日】平成18年4月17日(2006.4.17)
【手続補正１】
【補正対象書類名】明細書
【補正対象項目名】特許請求の範囲
【補正方法】変更
【補正の内容】
【特許請求の範囲】
【請求項１】  シート材を搬送するシート材搬送手段と、圧電素子を有するプローブと、前記シート材の搬送方向に直角且つ搬送平面に平行に配置された固定軸と、前記プローブの固定端部を前記回転軸に回転可能に固定し、前記プローブ先端部を前記固定軸を中心とした円周方向且つ前記シート材の搬送方向と逆方向に加圧する加圧手段とを用い、前記プローブ先端を前記シート材表面に当接させながら前記シート材を搬送することにより、前記圧電素子部に前記シート材表面の凹凸及び摩擦係数に応じた強度の振動及び衝撃による歪を誘起して電気信号を発生させ、該電気信号強度差を基に前記シート材表面の表面性を識別する表面性識別装置において、前記プローブは、前記圧電素子表面及び前記プローブ先端部の保護手段と、前記プローブ先端部へ前記シート材を導くシート材ガイド手段と、前記プローブ先端部の変位量を規制するストッパー手段を有するセンサケースに収納されていることを特徴とする表面性識別装置。
【請求項２】  請求項１の表面性識別装置において、前記センサケースの前記圧電素子表面保護手段として該センサケースの表面に上カバー、前記プローブ先端部保護手段及び前記シート材ガイド手段として該センサケース下部の前記プローブ可動範囲の左右前後にシートガイドリブ、前記プローブ先端部の変位量を規制するストッパー手段として前記センサケース内部で前記プローブの非圧電素子形成面と接触して前記プローブ先端部が必要以上に上方向に回転する事を防止する上側ストッパー内壁と、前記プローブ先端部が必要以上に下方向に回転する事を防止する下側ストッパー内壁を各々設け、且つ、前記上側ストッパー内壁によって上方向の変位が規制された場合の前記プローブ先端部の位置は前記シートガイドリブの内側、前記下側ストッパー内壁によって下方向の変位が規制された場合の前記プローブ先端部の位置は前記シートガイドリブ表面から識別に必要最小限の長さだけ露出した位置に各々規制されることを特徴とする表面性識別装置。
【請求項３】  請求項１または２の装置において、前記センサケースは識別に必要な搬送平面からの基準高さに該センサケースを保持するセンサケース保持板に固定され、該センサケース保持板の搬送方向上流側端部は保持板用回転軸に回転可能に固定され、下流側端部は該保持板用回転軸を中心に開閉可能で前記基準高さを維持するように保持板高さ規制部材に保持板加圧手段によって加圧当接され、該保持板加圧手段の加圧強度Ｐ１と前記プローブ先端部の加圧手段の加圧強度Ｐ２の大小関係はＰ１≫Ｐ２となるように設定され、前記シート材搬送手段は該センサケース保持板の下流側端部を閉じた状態では前記シート材の搬送方向と逆方向への移動を禁止し、該センサケース保持板の下流側端部を開いた状態では前記シート材を搬送方向と逆方向のいずれの方向への移動も可能とするシート材移動方向規制手段を有することを特徴とする表面性識別装置。
【請求項４】  請求項３の装置において、前記シート材移動方向規制手段は、前記シート材搬送手段として前記シート材搬送方向のみに回転する搬送ローラを従動ローラに加圧当接したローラ対を用い、前記センサケース保持板の下流側端部を開く動作に応じて該ローラ対の加圧手段を解除するようにカム機構を作用させるものであることを特徴とする表面性識別装置。
【請求項５】  請求項１または２の装置において、前記センサケースは識別に必要な搬送平面からの基準高さに該センサケースを保持するセンサケース保持板に固定され、該センサケース保持板の搬送方向上流側端部は保持板用回転軸に回転可能に固定され、下流側端部は該保持板用回転軸を中心に開閉可能で前記基準高さを維持するように保持板高さ規制部材に保持板加圧手段によって加圧当接されるとともに、前記センサケース保持板は前記センサケースの搬送方向下流側端部にセンサケース用回転軸を有し、前記センサケースは該センサケース用回転軸を中心に回転可能に固定され、前記センサケースの搬送方向上流側端部はセンサケース加圧手段により前記センサケース保持板上に加圧当接されており、該センサケース加圧手段の加圧強度Ｐ３と前記保持板加圧手段の加圧強度Ｐ１と前記プローブ先端部の加圧手段の加圧強度Ｐ２との大小関係はＰ１≧Ｐ３≫Ｐ２となるように設定され、且つ、前記シート材搬送手段は前記センサケース保持板の下流側端部を閉じた状態でも前記シート材の搬送方向と逆方向への移動を可能とし、逆方向に移動させた紙が前記シートガイドリブのシート搬送方向下流側端面及び前記プローブ先端部を搬送方向と逆方向へ押し返す圧力に応じて前記センサケース上流側端部が前記センサケース用回転軸を中心に上下に遥動可能となるように前記センサケース加圧手段の加圧強度Ｐ３が設定されていることを特徴とする表面性識別装置。
【請求項６】  請求項３ないし５のいずれかの装置において、前記センサケースは、前記プローブの左右両側に前記シートを搬送平面に押さえつける為のシート押さえコロを有し、該シート押さえコロの直径は少なくとも前記プローブ先端部の前記シートガイドリブ表面からの露出長より長く、且つ、該シート押さえコロの搬送平面への当接位置の搬送方向に対する位置は前記プローブ先端部の搬送平面への当接位置の搬送方向に対する位置と略一致し、常に前記プローブ先端部は前記シート押さえコロと前記シートガイドリブによって形成される搬送方向側面から見た輪郭内部に収まり、前記センサケース保持板を開いて該センサケース保持板上流側端部を持ち上げた状態では常に前記シート押さえコロの下端はプローブ先端よりも低い位置に保持され、前記センサケース保持板を閉じる際には前記シート押さえコロから先に搬送平面に接触するように設定されていることを特徴とする表面性識別装置。
【請求項７】  請求項２乃至６のいずれかの装置において、前記ストッパー内壁は弾性部材で構成されていることを特徴とする表面性識別装置。
【請求項８】  請求項２乃至６のいずれかの装置において、前記プローブは該プローブの着脱が可能なプローブホルダーを介して前記固定軸に回転可能に固定され、前記ストッパー機能を実現する手段として該プローブホルダー部に前記プローブの回転規制用の形状を付与したストッパー機能付きプローブホルダーを用い、該ストッパー機能付きプローブホルダーはセンサケースの上下の内壁と前記固定軸近傍で接触することを特徴とする表面性識別装置。
【請求項９】  請求項３乃至８のいずれかの装置において、前記センサケースには前記センサケース保持板を閉じた状態で前記シートガイドリブの上流側に収納され、前記センサケース保持板を開いた状態では前記プローブ先端部の露出を防ぐよう移動して前記プローブを覆うように機能するプローブ保護シャッターが設けられていることを特徴とする表面性識別装置。
【請求項１０】  請求項３乃至９のいずれかの装置において、前記シートガイドリブは搬送方向側面から見て、前記センサケースの搬送方向前後端部と該センサケースの中央から前記搬送平面に降ろした垂線上の紙搬送に最小限必要な該搬送平面からの高さ位置の３点を通る円の円弧と略一致する円弧状リブ形状を有し、前記プローブ先端部の前記搬送平面との当接位置は該円弧状リブの最下点より搬送方向下流側に設けないことを特徴とする表面性識別装置。
【請求項１１】  請求項３乃至１０のいずれかの装置における前記プローブは、金属板金の先端部を搬送方向の側面から見てＳ字型になるように第１折り曲げ部Ｒ１と第２折り曲げ部Ｒ２の２箇所で折り曲げたＳ字型板金を用い、該Ｓ字型板金の固定端部と第１折り曲げ部の間の平坦部表面に圧電素子を形成したＳ字型プローブであり、少なくとも前記第２折り曲げ部Ｒ２の搬送方向最上流点は前記シートガイドリブの内側に収められていることを特徴とする表面性識別装置。
【請求項１２】  請求項１乃至１１の何れかに記載の表面性識別装置と、該表面性識別装置を通過した被加熱材上に接触加熱する熱処理手段と、前記表面性識別装置の識別信号に応じて前記熱処理手段の加熱温度を制御する制御手段を備えることを特徴とする加熱装置。
【請求項１３】  請求項１乃至１１の何れかに記載の表面性識別装置と、該表面性識別装置を通過した記録材上にトナー像を形成する画像形成手段と、トナー像が形成された記録材を加熱および加圧して該記録材上に前記トナー像を定着させる定着手段と、前記表面性識別装置の識別信号に応じて前記定着手段の定着温度を制御する制御手段を備えることを特徴とする画像形成装置。
【請求項１４】  請求項１乃至１１の何れかに記載の表面性識別装置と、該表面性識別装置を通過した記録材上にトナー像を形成する画像形成手段と、トナー像が形成された記録材を加熱および加圧して該記録材上に前記トナー像を定着させる定着手段と、前記表面性識別装置の識別信号に応じて前記記録材の加熱時間または加熱処理間隔を変更する制御手段を備えることを特徴とする画像形成装置。
【請求項１５】  請求項１乃至１１の何れかに記載の表面性識別装置と、該表面性識別装置を通過した記録材上にインクを吐出して画像を形成するインク吐出式画像形成手段と、前記表面性識別装置の識別信号に応じて前記インク吐出式画像形成手段のインク吐出量を制御する制御手段を備えることを特徴とする画像形成装置。
【請求項１６】  請求項１乃至１１の何れかに記載の表面性識別装置と、該表面性識別装置を通過した記録材上にサーマルヘッドを用いてインクリボン上のインクを熱転写させる熱転写式画像形成手段と、前記表面性識別装置の識別信号に応じて前記熱転写式画像形成手段の前記サーマルヘッドへの供給電力を制御する制御手段を備えることを特徴とする画像形成装置。